(57)【要約】【課題】施設構内に敷設されたＩＰ放送網を用いて無線ＬＡＮ環境を実現する際に、利用者の利便性を損なうことなく、且つ管理者に負担をかけず、セキュリティも確保する。【解決手段】構内放送網11を介して設置され、それぞれにテレビ受像機16を接続した、複数のセットトップボックス(ＳＴＢ)15，…と、暗号鍵情報が設定可能な、複数の無線ＬＡＮルータ17と、構内放送網11を介して任意の無線ＬＡＮルータ17に暗号鍵情報を設定し、ＳＴＢ15から無線ＬＡＮルータ17の使用要求を受付け、受付けたＳＴＢ15に対し、対応付けられている無線ＬＡＮルータ17に設定した暗号鍵情報を示す表示データを送信し、当該ＳＴＢ15に接続されているテレビ受像機16で表示させるＶＯＤサーバ13とを含む。【選択図】図１
2013115468.tif 000002
【特許請求の範囲】
【請求項１】
施設構内に敷設されたＩＰ（インターネット・プロトコル）放送網を用いた構内インターネット構築システムにおいて、
上記放送網を介して設置され、それぞれに表示機器を接続した、複数のセットトップボックスと、
暗号鍵情報が設定可能な、複数の無線ＬＡＮルータと、
上記放送網を介して上記任意の無線ＬＡＮルータに暗号鍵情報を設定する設定手段、上記セットトップボックスから対応する無線ＬＡＮルータの使用要求を受付ける受付手段、及び上記受付手段で無線ＬＡＮルータの使用要求を受付けたセットトップボックスに対し、対応付けられている無線ＬＡＮルータに設定した暗号鍵情報を示す表示データを送信し、当該セットトップボックスに接続されている上記表示機器で表示させる表示制御手段を備えたサーバ装置と
を含むことを特徴とする構内インターネット構築システム。
【請求項２】
上記サーバ装置は、さらに
上記セットトップボックスで入力される暗証情報を受信する暗証情報受信手段、及び
上記暗証情報受信手段で受信した暗証情報と予め記憶した暗証情報との一致を判断する暗証判断手段
を備え、
上記受付手段は、上記暗証判断手段で暗証情報の一致を判断した場合に無線ＬＡＮルータの使用要求を受付ける
ことを特徴とする請求項１記載の構内インターネット構築システム。
【請求項３】
上記サーバ装置は、さらに
上記無線ＬＡＮルータ毎にランダムな暗号鍵情報を発行する暗号鍵発行手段、及び
上記暗証判断手段で使用する予め記憶した暗証情報の内容を更新する更新手段
の少なくとも一方を備えることを特徴とする請求項２記載の構内インターネット構築システム。
【請求項４】
上記サーバ装置は、ビデオ・オン・デマンドサービスのサーバ装置を兼用することを特徴とする請求項１記載の構内インターネット構築システム。
【請求項５】
上記セットトップボックスは、
暗証情報が記憶されたカードを挿入し、該カードに記憶された暗証情報を読取るカード読取部を備え、
上記サーバ装置は、
上記セットトップボックスのカード読取部で読取った暗証情報を上記暗証情報受信手段で受信する
ことを特徴とする請求項２記載の構内インターネット構築システム。
【発明の詳細な説明】
【技術分野】
【０００１】
本発明は、例えばホテルや旅館、病院など不特定多数の利用者が利用する施設に好適な構内インターネット構築システムに関する。
【背景技術】
【０００２】
従来、例えばホテルや旅館、病院などの各種構内の客室毎、あるいは病床毎に設置されたテレビ受像機を含む構内テレビシステムを利用して有料番組や有料のＶＯＤ（ビデオ・オン・デマンド）サービス等を視聴する有料番組視聴システムにおいて、人手を介する運用行程をでき得る限り削減し、設備や運営上のコストを低減しながら、利用者にはより気軽に利用して戴くことが可能なシステムを本出願人が提案した。（例えば、特許文献１）
【先行技術文献】
【特許文献】
【０００３】
【特許文献１】特開２００６−３１１２５１号公報
【発明の概要】
【発明が解決しようとする課題】
【０００４】
近年、無線ＬＡＮ機能を利用可能な携帯電話端末、スマートフォンや携帯ゲーム機等が広く普及し、ブックタイプのパーソナルコンピュータでも無線ＬＡＮ機能がほぼ標準で実装されるのに連れて、ホテルや旅館、病院などに敷設された構内システムでも無線ＬＡＮ環境を構築することが求められている。
【０００５】
しかるに、無線ＬＡＮ利用可能な環境をホテルや旅館、病院などの施設に敷設された構内システムで構築する場合、セキュリティの確保が重要な要因となる。この点で、上記特許文献に記載された技術では対応することができない。
【０００６】
一般に広く普及している無線ＬＡＮとしてのＩＥＥＥ８０２．１１ａ／ｂ／ｇ／ｎ規格では、共通鍵（秘密鍵）暗号方式を採用しており、施設利用者は共通鍵情報が提示されなければ無線ＬＡＮ機能が利用することができない。そのため、施設管理者側からの共通鍵情報の提示が必須となる。
【０００７】
そして、共通鍵情報を固定化した場合、利用者は正規の施設利用後も無線の届く範囲内であれば引き続き無線ＬＡＮ機能を利用できることになると共に、共通鍵情報が外部に漏れる可能性もあるため、施設管理者側はセキュリティを確保することができなくなる。
【０００８】
一方で、共通鍵情報の発行及び管理をあえて複雑化してセキュリティの効果を上げることも考えられるが、その場合、施設管理者の手を少なからず煩わすこととなり、また施設利用者の利便性を損なうことにもなるため、実用的ではない。
【０００９】
本発明は上記のような実情に鑑みてなされたもので、その目的とするところは、無線ＬＡＮ環境を実現するにあたって、利用者の利便性を損なうことなく、且つ管理者に負担をかけず、セキュリティも確保することが可能な構内インターネット構築システムを提供することにある。
【課題を解決するための手段】
【００１０】
本発明の一態様は、施設構内に敷設されたＩＰ（インターネット・プロトコル）放送網を用いた構内インターネット構築システムにおいて、上記放送網を介して設置され、それぞれに表示機器を接続した、複数のセットトップボックスと、暗号鍵情報が設定可能な、複数の無線ＬＡＮルータと、上記放送網を介して上記任意の無線ＬＡＮルータに暗号鍵情報を設定する設定手段、上記セットトップボックスから対応する無線ＬＡＮルータの使用要求を受付ける受付手段、及び上記受付手段で無線ＬＡＮルータの使用要求を受付けたセットトップボックスに対し、対応付けられている無線ＬＡＮルータに設定した暗号鍵情報を示す表示データを送信し、当該セットトップボックスに接続されている上記表示機器で表示させる表示制御手段を備えたサーバ装置とを含むことを特徴とする。
【発明の効果】
【００１１】
本発明によれば、無線ＬＡＮ環境を実現するにあたって、利用者の利便性を損なうことなく、且つ管理者に負担をかけず、セキュリティも確保することが可能となる。
【図面の簡単な説明】
【００１２】
【図１】本発明の一実施形態に係るＩＰ放送システムの概要構成を示すブロック図。
【図２】同実施形態に係るＶＯＤサーバでの処理内容を示すフローチャート。
【図３】同実施形態に係る客室側のテレビ画面で表示される暗証番号を例示する図。
【図４】同実施形態に係る客室側のテレビ画面で表示される暗号鍵情報を例示する図。
【発明を実施するための形態】
【００１３】
以下本発明をホテルの施設構内に敷設したＩＰ（Ｉｎｔｅｒｎｅｔ  Ｐｒｏｔｃｏｌ）放送システムに適用した場合の一実施形態について図面を参照して説明する。
【００１４】
なお本実施形態では、ホテルの客室に設置した無線ＬＡＮルータを使用して利用者が持ち込む通信機器、例えばパーソナルコンピュータをＷｉ−Ｆｉ接続する場合、事前に同ホテル構内で購入したカードあるいはチケットに記載されている暗証情報により課金済みである確認を行なった上で、接続に必要な情報の提示を行なうものとする。
【００１５】
図１は、当該システム全体の構成を示すもので、構内放送網１１は複数のハブ１２，１２，‥‥で相互接続され、各種装置と接続されている。これらハブ１２，１２，‥‥のうち、ハブ１２ＨにはＶＯＤサーバ１３とルータ１４とが接続される。
【００１６】
ＶＯＤサーバ１３は、ホテルのフロントバックオフィス等に設置し、客室等の利用者からの配信要求に応答して、蓄積した映画等のコンテンツのストリーミングデータ映像の放送配信や、後述する無線ＬＡＮルータへの暗号鍵情報の登録等の処理を実行する。
【００１７】
ルータ１４は、このハブ１２Ｈを介して構内放送網１１とインターネットとを相互接続するブロードバンド機器である。
【００１８】
上記ハブ１２，１２，‥‥に対して、各客室ＧＲ，ＧＲ，‥‥毎に設置されたハブ１２Ｔ，１２Ｔ，‥‥が接続され、それらハブ１２Ｔ毎にセットトップボックス（以下文中及び図面では「ＳＴＢ」と称する）１５及び無線ＬＡＮルータ１７が接続される。
【００１９】
各客室ＧＲ内のセットトップボックス１５は、テレビ受像機１６と接続される。セットトップボックス１５は、構内放送網１１から送られてくる放送信号を受信し、テレビ受像機１６で視聴可能な信号に変換した後にテレビ受像機１６に供給する。
【００２０】
なお上記セットトップボックス１５は、図示しない専用のリモートコントローラにより、テレビ受像機１６によるテレビ放送視聴時の選局操作や後述するＷｉ−Ｆｉ接続時の確認操作等、各種動作を操作するものとする。
【００２１】
無線ＬＡＮルータ１７は、無線ＬＡＮのアクセスポイント機能を備えたルータであり、後述する如く上記ＶＯＤサーバ１３からＳＳＩＤ（Ｓｅｒｖｉｃｅ  Ｓｅｔ  ＩＤｅｎｔｉｆｉｅｒ）と暗号鍵情報、具体的には共通鍵暗号方式でのＷＥＰキー及び共通鍵パスフレーズを任意に設定可能となる。
【００２２】
なお、ＶＯＤサーバ１３、セットトップボックス１５、及び無線ＬＡＮルータ１７それぞれのハードウェア回路としての構成自体は、上述した如く無線ＬＡＮルータ１７がＳＳＩＤと暗号鍵情報を任意に設定可能である点を除いて、きわめて一般的なものと同様に周知であるものとして、その図示及び説明については省略する。
【００２３】
次に上記実施形態の動作について説明する。  
図２は、上記ＶＯＤサーバ１３が実行する、各客室ＧＲ，ＧＲ，‥‥の無線ＬＡＮルータ１７，１７，‥‥の設定に関する処理内容を抽出して示すものである。
【００２４】
その当初にＶＯＤサーバ１３は、構内放送網１１を介して各客室ＧＲ，ＧＲ，‥‥毎に設置されているセットトップボックス１５，１５，‥‥から、インターネット設定要求信号が送られてくるものを周期的にサーチした上で（ステップＳ１０１）、当該信号を送ってきたセットトップボックス１５，１５，‥‥が少なくとも１台あったか否かを判断する（ステップＳ１０２）。
【００２５】
ここでセットトップボックス１５，１５，‥‥からの要求信号が一切ないと判断した場合、ＶＯＤサーバ１３では再び上記ステップＳ１０１からの処理に戻り、以下同様の処理を繰返し実行することで、同要求信号が送られてくるのを待機する。
【００２６】
またステップＳ１０２でインターネット設定要求信号を送ってきたセットトップボックス１５が少なくとも１台あった場合、ＶＯＤサーバ１３はそれを判断して、まず１台のセットトップボックス１５を選択し、そのセットトップボックス１５に対して該当する無線ＬＡＮルータ１７を用いてのＷｉ−Ｆｉ接続に関する課金の確認処理がまだ完了していないかどうかを判断する（ステップＳ１０４）。
【００２７】
ここで課金の確認処理がまだ完了していないと判断した場合にＶＯＤサーバ１３では、該当するセットトップボックス１５に接続されているテレビ受像機１６にて、Ｗｉ−Ｆｉ接続が有料のサービスであり、課金の確認処理が必要である旨を示す文字メッセージと、最寄りの券売機で有料のカードを購入して当該カードに記載されている暗証番号の入力を促す文字メッセージの画像を表示させる（ステップＳ１０５）。
【００２８】
さらにＶＯＤサーバ１３は、その表示にしたがってリモートコントローラで正しい暗証番号のキー操作がなされたか否かをセットトップボックス１５から該当する信号があるか否かにより判断する（ステップＳ１０６）。
【００２９】
ここで該当するセットトップボックス１５から暗証番号の入力が合った場合、ＶＯＤサーバ１３は、事前に券売機で発行した有料のカードに記載された暗証番号の１つであるか否かを判断する。
【００３０】
このとき該当する客室ＧＲの利用者は、テレビ受像機１６の表示にしたがってセットトップボックス１５用のリモートコントローラを操作することで、事前に購入しておいたカードの暗証情報を入力する。
【００３１】
図３は、このとき該当する客室ＧＲ内のテレビ受像機１６で表示される、暗証番号の入力画面を例示するものである。こうして暗証情報が入力されると、ＶＯＤサーバ１３では上記ステップＳ１０７において、正しい暗証情報が入力されたか否かを判断する。
【００３２】
上記ステップＳ１０７で正しい暗証情報が入力されたと判断した場合、ＶＯＤサーバ１３は、すでに課金済みであることを確認するための、例えば  
「ご利用ありがとうございます  
入力された暗証番号を確認致しました  
この後に表示されるＳＳＩＤとＷＥＰキー及び共通鍵パスフレーズを
御自分のＷｉ−Ｆｉ機器に設定して下さい」  
のような文字メッセージで通知して表示させる（ステップＳ１０８）。
【００３３】
合わせてＶＯＤサーバ１３は、このセットトップボックス１５に対応付けられた、同室内の無線ＬＡＮルータ１７用のＳＳＩＤと暗号鍵情報である共通鍵暗号方式のＷＥＰキー及び共通鍵パスフレーズを発行し、セットトップボックス１５を介してテレビ受像機１６で表示させる一方で、当該無線ＬＡＮルータ１７に登録設定させる（ステップＳ１０９）。
【００３４】
図４は、このとき該当する客室ＧＲ内のテレビ受像機１６で表示される、ＳＳＩＤと暗号鍵情報である共通鍵暗号方式のＷＥＰキー及び共通鍵パスフレーズを示すものである。この客室ＧＲの利用者は、テレビ受像機１６で表示された内容を、Ｗｉ−Ｆｉに対応した機器、例えばスマートフォンやタブレットＰＣ、携帯ゲーム機等に登録することにより、インターネット接続環境が構築され、ウェブサイトの閲覧や電子メールの送受等が可能となる。
【００３５】
次いでＶＯＤサーバ１３は、無線ＬＡＮルータ１７に発行、設定した内容を客室ＧＲの識別情報、及び暗証情報と共に関連付けて記憶し（ステップＳ１１０）、以上で１台のセットトップボックス１５に対する処理を終えたものとして、他にもインターネット設定要求信号を送ってきたセットトップボックス１５があるか否かを判断する（ステップＳ１１１）。
【００３６】
ここでまだ他にもインターネット設定要求信号を送ってきたセットトップボックス１５があると判断した場合には、再び上記ステップＳ１０３からの処理に戻り、同様の動作を繰返し実行する。
【００３７】
また上記ステップＳ１０７で正しい暗証情報が入力されなかったと判断した場合、ＶＯＤサーバ１３では、一旦この該当するセットトップボックス１５に対する処理を終えたものとして、他のインターネット設定要求信号を送ってきたセットトップボックス１５の存在を確認すべく上記ステップＳ１１１に進む。
【００３８】
さらに上記ステップＳ１０４において、すでに課金の確認処理が完了していると判断した場合にＶＯＤサーバ１３では、上記ステップＳ１０５〜Ｓ１０８の処理を省略し、ステップＳ１０９に直接進んで、すでに発行して記憶している同室内の無線ＬＡＮルータ１７用のＳＳＩＤと暗号鍵情報である共通鍵暗号方式のＷＥＰキー及び共通鍵パスフレーズをセットトップボックス１５を介してテレビ受像機１６で表示させる。
【００３９】
なお、上記ステップＳ１１１で他のインターネット設定要求信号を送ってきたセットトップボックス１５がないと判断した時点で、ＶＯＤサーバ１３は再び上記ステップＳ１０１の処理に戻り、インターネット設定要求信号が送られてくるのを待機する。
【００４０】
以上詳述した如く本実施形態によれば、無線ＬＡＮ環境を実現するにあたって、利用者の利便性を損なうことなく、且つホテル施設の管理者側にも負担をかけずに、セキュリティを確保することが可能となる。
【００４１】
また上記実施形態では、暗証情報入力後の課金の確認処理に続いてＳＳＩＤ及び暗号鍵情報を通知するものとしたので、利用者に対して有料サービスである点の意識の徹底を図ることができる。
【００４２】
さらに上記実施形態では、無線ＬＡＮルータで使用する暗号鍵情報と、同暗号鍵情報を通知するための暗証情報の少なくとも一方を利用者毎に発行するべく、ホテルの営業日に応じた適宜時間間隔で更新設定するものとしたので、利用者及び利用日の多重利用を未然に防いで、セキュリティを確保できる。
【００４３】
また上記実施形態は、ＶＯＤサーバ１３が各客室ＧＲ，ＧＲ，‥‥毎に設置された無線ＬＡＮルータ１７の管理を行なうことで、ＶＯＤサービスがすでに敷設されている施設構内でのインターネット接続環境を容易に構築可能となる。
【００４４】
なお上記実施形態では説明しなかったが、上記図１で示したシステム構成とは別に、ＶＯＤサービスを利用するための有料の磁気カードを発行するカード販売機を設けるものとし、該カード販売機で発行する磁気カードにＷｉ−Ｆｉ接続のための暗証情報を併せて記憶するものとして、発行された磁気カードをセットトップボックス１５のカード読取り部に挿入することで、利用者がリモートコントローラでのキー操作により暗証情報を入力する手間を省くものとしても良く、さらに利用者の利便性を図ることができる。
【００４５】
また上記したように事前に暗証情報を記載したカードや磁気カードを利用者に購入してもらうのではなく、セットトップボックス１５とテレビ受像機１６を用いて有料サービスである旨の確認を行なった上でテレビ受像機１６の画面に暗証情報を表示させると共に、課金情報をホテルフロント側で記憶し、利用者のチェックアウト時に料金の精算を行なうようにしても良く、各種カードを発券する券売機の存在を省略できる。
【００４６】
なお上記実施形態は、ホテルの施設構内に敷設したＩＰ放送システムに適用した場合について説明したものであるが、本発明はこれに限るものではない。
【００４７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００４８】
以下に、本願出願の当初の特許請求の範囲に記載された発明を付記する。  
請求項１記載の発明は、施設構内に敷設されたＩＰ（インターネット・プロトコル）放送網を用いた構内インターネット構築システムにおいて、上記放送網を介して設置され、それぞれに表示機器を接続した、複数のセットトップボックスと、暗号鍵情報が設定可能な、複数の無線ＬＡＮルータと、上記放送網を介して上記任意の無線ＬＡＮルータに暗号鍵情報を設定する設定手段、上記セットトップボックスから対応する無線ＬＡＮルータの使用要求を受付ける受付手段、及び上記受付手段で無線ＬＡＮルータの使用要求を受付けたセットトップボックスに対し、対応付けられている無線ＬＡＮルータに設定した暗号鍵情報を示す表示データを送信し、当該セットトップボックスに接続されている上記表示機器で表示させる表示制御手段を備えたサーバ装置とを含むことを特徴とする。
【００４９】
請求項２記載の発明は、上記請求項１記載の発明において、上記サーバ装置は、さらに上記セットトップボックスで入力される暗証情報を受信する暗証情報受信手段、及び上記暗証情報受信手段で受信した暗証情報と予め記憶した暗証情報との一致を判断する暗証判断手段を備え、上記受付手段は、上記暗証判断手段で暗証情報の一致を判断した場合に無線ＬＡＮルータの使用要求を受付けることを特徴とする。
【００５０】
請求項３記載の発明は、上記請求項２記載の発明において、上記サーバ装置は、さらに上記無線ＬＡＮルータ毎にランダムな暗号鍵情報を発行する暗号鍵発行手段、及び上記暗証判断手段で使用する予め記憶した暗証情報の内容を更新する更新手段の少なくとも一方を備えることを特徴とする。
【００５１】
請求項４記載の発明は、上記請求項１記載の発明において、上記サーバ装置は、ビデオ・オン・デマンドサービスのサーバ装置を兼用することを特徴とする。
【００５２】
請求項５記載の発明は、上記請求項２記載の発明において、上記セットトップボックスは、暗証情報が記憶されたカードを挿入し、該カードに記憶された暗証情報を読取るカード読取部を備え、上記サーバ装置は、上記セットトップボックスのカード読取部で読取った暗証情報を上記暗証情報受信手段で受信することを特徴とする。
【符号の説明】
【００５３】
１１…構内放送網  
１２，１２Ｈ，１２Ｔ…ハブ  
１３…ＶＯＤサーバ  
１４…ルータ  
１５…セットトップボックス（ＳＴＢ）  
１６…テレビ受像機（ＴＶ）  
１７…無線ＬＡＮルータ  
ＧＲ…客室。
【図１】
2013115468.tif 000003
【図２】
2013115468.tif 000004
【図３】
2013115468.tif 000005
【図４】
2013115468.tif 000006